(57)【要約】    【課題】  情報記録媒体の機能を損なうことなく、シートの後処理を行うことができる画像形成装置を提供する。    【解決手段】  ステイプル処理が行われる場合、ＲＦＩＤの位置とステイプルされる位置とが同じであるか否かを判別する（Ｓ４）。ＲＦＩＤの位置とステイプルされる位置とが同じであると判断された場合、エラー画面を表示し、動作を中断する（Ｓ５）。このエラー画面には、「ＲＦＩＤとステイプル位置が同じです。変更しますか？」のメッセージが表示される。変更キー８０２が押されたか否か、つまり位置を変えて続行するか否かを判別し（ステップＳ６）、変更キー８０２が押された場合、印刷後に、位置を変えてステイプル処理を行う（Ｓ７）。【選択図】      図３０
2006131322.tif 000002
【特許請求の範囲】
【請求項１】
情報記録媒体を付加したシートを処理するシート処理装置であって、
前記シートに付加された前記情報記録媒体の位置を検出する位置検出手段と、
前記検出された前記情報記録媒体の位置と前記シート上の処理位置とを比較する比較手段と、
前記比較結果を基に、前記シートの処理を制御する処理制御手段とを備えたことを特徴とするシート処理装置。
【請求項２】
前記情報記録媒体はＲＦＩＤタグであり、前記位置検出手段はＲＦＩＤリーダにより前記シートに付加された当該ＲＦＩＤタグを検出することを特徴とする請求項１記載のシート処理装置。
【請求項３】
前記処理の種類を判別する種類判別手段を備え、
前記処理制御手段は、前記判別された処理の種類に応じて、前記シートの処理を制御することを特徴とする請求項１または２記載のシート処理装置。
【請求項４】
前記処理制御手段は、前記情報記録媒体の位置と前記処理位置とが同じである場合、前記処理を実行するか否かの決定、あるいは前記処理内容の変更を行うことを特徴とする請求項１乃至３のいずれかに記載のシート処理装置。
【請求項５】
前記処理制御手段は、ステイプルを行う際、前記情報記録媒体の位置と前記処理位置とが同じである場合、ステイプル位置を変更することを特徴とする請求項４記載のシート処理装置。
【請求項６】
前記処理制御手段は、前記処理がパンチ穴あけであり、前記情報記録媒体の位置と前記処理位置とが同じである場合、パンチ穴あけを行わないことを特徴とする請求項４記載のシート処理装置。
【請求項７】
前記処理制御手段は、前記処理が中綴じであり、前記情報記録媒体の位置と前記処理位置とが同じである場合、中綴じを行わないことを特徴とする請求項４記載のシート処理装置。
【請求項８】
前記処理制御手段は、前記情報記録媒体の位置と前記処理位置とが同じであるか否かに拘わらず、糊付け製本を行うことを特徴とする請求項４記載のシート処理装置。
【請求項９】
前記処理制御手段は、前記処理が裁断であり、前記情報記録媒体の位置と前記処理位置とが同じである場合、裁断を行わないことを特徴とする請求項４記載のシート処理装置。
【請求項１０】
前記処理制御手段は、前記処理がＺ折りであり、前記情報記録媒体の位置と前記処理位置とが同じである場合、Ｚ折りを行わないことを特徴とする請求項４記載のシート処理装置。
【請求項１１】
シート上に所定の画像を形成し、請求項１乃至１０のいずれかに記載のシート処理装置により該画像が形成されたシートの処理を行わせることを特徴とする画像形成装置。
【請求項１２】
情報記録媒体を付加したシートを処理するシート処理方法であって、
前記シートに付加された前記情報記録媒体の位置を検出する位置検出ステップと、
前記検出された前記情報記録媒体の位置と前記シート上の処理位置とを比較する比較ステップと、
前記比較結果を基に、前記シートの処理を制御する処理制御ステップとを有することを特徴とするシート処理方法。
【請求項１３】
請求項１乃至１０のいずれかに記載のシート処理装置または請求項１１に記載の画像形成装置を実現するためのコンピュータ読み取り可能なプログラムコードを有するプログラム。
【請求項１４】
請求項１３記載のプログラムを格納した記憶媒体。
【発明の詳細な説明】
【技術分野】
【０００１】
本発明は、情報記録媒体を付加したシートに画像を形成する画像形成装置、シート処理装置およびシート処理方法に関する。
【背景技術】
【０００２】
近年、無線タグ（ＲＦＩＤタグ）を微小化して紙にすき込む技術を用いた、印刷用紙が製品化されている。また、プリンタ機能およびファクシミリ機能を有する複写機に、原稿用のリーダライタおよび印刷用紙用のリーダライタを設けておくことで、外部機器（パソコン等）から送信されてきた文字データやグラフィックデータを印刷用紙に視認情報として印刷するとともに、デジタルデータとして記録しておくべきデータをＲＦＩＤタグに書き込むことが行われている（特許文献１参照）。これにより、ＲＦＩＤ付き印刷用紙に文字や図形などを印刷できるとともに、デジタルデータを書き込むことができ、さらには、デジタルデータを加工したり、再利用することができる。
【０００３】
また、複写を行う際、この複写機は、操作者のＩＤ情報を、予め登録された許可情報と照合し、複写を許可された者であるか否かを判断するので、許可されていない者によって原稿情報が複写されることを防止する。同様に、ファクシミリ送信を行う際、複写機は、操作者のＩＤ情報を、予め登録された許可情報と照合し、ファクシミリ送信を許可された者であるか否かを判断するので、許可されていない者によって原稿情報が送信されることを防止する。さらに、送信しようとする者のＩＤ情報が原稿のＲＦＩＤタグに書き込まれるので、不正な送信を抑制できる。このように、ＲＦＩＤタグおよびＲＦＩＤリーダ／ライタを用いて印刷を行うことで、従来を越える複写機能が実現されている。
【特許文献１】特開２００２−３３７４２６号公報
【発明の開示】
【発明が解決しようとする課題】
【０００４】
しかしながら、上記従来の画像形成装置には、以下に掲げる問題があった。すなわち、画像形成装置として、例えばデジタル複写機には、一般に後処理装置が接続されている。この後処理装置は、ステイプル、パンチ穴あけ、中綴じ、Ｚ折り、糊付け製本、裁断等を行うことが可能である。これらの後処理機能をＲＦＩＤ付き用紙に適用する場合、例えばステイプルの場合、ステイプル針を用いた後処理を行うため、ステイプルの針の位置とＲＦＩＤタグの位置とが合致した場合、ステイプルの針でＲＦＩＤタグを傷つけてしまい、機能を果たせなくなってしまうおそれがあった。また、パンチ穴あけ、裁断処理などでは、必要なＲＦＩＤタグを切り落としてしまうおそれもあった。この結果、ＲＦＩＤタグに書き込まれた様々な情報が無効になり、管理などの付加機能を使用できなくなってしまうことが考えられた。
【０００５】
そこで、本発明は、情報記録媒体の機能を損なうことなく、シートの後処理を行うことができる画像形成装置、シート処理装置およびシート処理方法を提供することを目的とする。
【課題を解決するための手段】
【０００６】
上記目的を達成するために、本発明のシート処理装置は、情報記録媒体を付加したシートを処理するシート処理装置であって、前記シートに付加された前記情報記録媒体の位置を検出する位置検出手段と、前記検出された前記情報記録媒体の位置と前記シート上の処理位置とを比較する比較手段と、前記比較結果を基に、前記シートの処理を制御する処理制御手段とを備えたことを特徴とする。
【０００７】
本発明のシート処理方法は、情報記録媒体を付加したシートを処理するシート処理方法であって、前記シートに付加された前記情報記録媒体の位置を検出する位置検出ステップと、前記検出された前記情報記録媒体の位置と前記シート上の処理位置とを比較する比較ステップと、前記比較結果を基に、前記シートの処理を制御する処理制御ステップとを有することを特徴とする。
【発明の効果】
【０００８】
本発明の請求項１に係るシート処理装置によれば、シートに付加された情報記録媒体の位置を検出し、シートを処理する際、検出された情報記録媒体の位置とシート上の処理位置とを比較し、この比較結果を基に、シートの処理を制御するので、情報記録媒体の機能を損なうことなく、シートを後処理できる。請求項３に係るシート処理装置によれば、処理の種類に応じて、処理内容を変更するので、比較の結果、情報記録媒体の位置とシート上の処理位置とが同じであっても、それを回避して処理を続行することができる。請求項４に係るシート処理装置によれば、情報記録媒体の位置とシート上の処理位置とが同じである場合、その対処を複数の中から選択できる。
【発明を実施するための最良の形態】
【０００９】
本発明の画像形成装置、シート処理装置およびシート処理方法の実施の形態について図面を参照しながら説明する。本実施形態の画像形成装置は複写機に適用される。
【００１０】
［全体構成］
図１は実施の形態における複写機の内部構成を示す縦断面図である。この複写機は、複写機本体１０および後処理装置（フィニッシャ）２０から構成される。複写機本体１０はリーダ部３０およびプリンタ部４０から構成される。
【００１１】
［リーダ部３０の構成］
リーダ部３０には、原稿給送装置１０１が搭載されており、この原稿給送装置１０１に積載された原稿は、１枚ずつ原稿台ガラス面１０２に順次搬送される。原稿が原稿台ガラス面１０２の所定位置に搬送されると、スキャナユニット１０４内のランプ１０３が点灯し、スキャナユニット１０４の移動とともに原稿を走査しながら照射する。原稿からの反射光は、ミラー１０５、１０６、１０７およびレンズ１０８を介してＣＣＤイメージセンサ（単に、ＣＣＤという）１０９に入力する。
【００１２】
図２はリーダ部３０における信号処理回路の構成を示すブロック図である。ＣＣＤ１０９に入力した原稿からの反射光は、ＣＣＤ１０９によって光電変換され、レッド、グリーン、ブルーの各色の電気信号に変換される。ＣＣＤ１０９からの各色の電気信号（カラー情報）は、それぞれ増幅器１１０Ｒ、１１０Ｇ、１１０ＢでＡ／Ｄ変換器１１１の入力信号レベルに合わせて増幅される。Ａ／Ｄ変換器１１１の出力信号がシェーディング回路１１２に入力されると、ランプ１０３の配光ムラやＣＣＤの感度ムラが補正される。
【００１３】
シェーディング回路１１２からの信号は、Ｙ信号生成色検出回路１１３および外部Ｉ／Ｆ切り替え回路（図示せず）に入力される。Ｙ信号生成色検出回路１１３は、シェーディング回路１１２からの信号に対し、数式（１）に示す演算を行うことで、Ｙ信号を得る。また、Ｙ信号生成色検出回路１１３は、Ｒ，Ｇ，Ｂの信号から７つの色信号に分離し、各色信号を出力する色検出回路を有する。
【００１４】
Ｙ＝０．３Ｒ＋０．６Ｇ＋０．１Ｂ  ……  （１）
Ｙ信号生成色検出回路１１３からの出力信号は、変倍リピート回路１１４に入力される。変倍回路リピート回路１１４は主走査方向の変倍を行う。一方、副走査方向の変倍は、スキャナユニット１０４の走査速度を変更することで行われる。また、変倍リピート回路１１４は、複数の同一画像を出力することが可能である。
【００１５】
輪郭エッジ強調回路１１５は、変倍リピート回路１１４からの信号の高周波成分を強調することでエッジ強調および輪郭情報を得る。輪郭エッジ強調回路１１５からの信号は、マーカエリア判定・輪郭生成回路１１６およびパターン化・太らせ・マスキング・トリミング回路１１７に入力する。
【００１６】
マーカエリア判定・輪郭生成回路１１６は、原稿上の指定された色のマーカペンで書かれた部分を読み取り、マーカの輪郭情報を生成する。パターン化・太らせ・マスキング・トリミング回路１１７は、この輪郭情報から太らせやマスキングやトリミングを行い、Ｙ信号生成色検出回路１１３からの色検出信号によりパターン化を行う。プリンタ部４０に出力する場合、パターン化・太らせ・マスキング・トリミング回路１１７からの出力信号は、画像データセレクタ回路１１８により選択されると、画像データ減少回路１２５を経由してレーザドライバ回路１１９に入力され、レーザを駆動するための信号に変換される。レーザドライバ回路１１９からの出力信号は、プリンタ部４０に入力され、可視像として画像形成が行われる。
【００１７】
画像メモリ１２０は、ＣＰＵ１２２の指示にしたがって、画像データセレクタ回路１１８から送られた画像データを、指定された記憶領域に記憶する。回転処理や画像の合成処理は、この画像メモリ１２０上で行われる。
【００１８】
ＣＰＵ１２２は、リーダ部３０全体を制御するものであり、制御プログラムやエラー処理プログラムなどを記憶するＲＯＭ１２４、各種プログラムのワークエリアとして利用されるＲＡＭ１２５、各種タイマ制御部等を内蔵する。また、ＣＰＵ１２２の指示にしたがって、ＲＡＭ１２５に記憶された画像データを画像メモリ１２０に展開することも可能である。図３はＣＰＵ１２２の周辺回路の構成を示すブロック図である。ＣＰＵ１２２には、上記各部の他、リーダ部内画像読取部１３２、画像処理部１３３、プリンタ部内画像記録部１３４、キャラクタデータメモリ１３０、コネクタ１３１などが接続されている。コネクタ１３１には、後処理装置２０が接続されている。また、操作部１２３には、後述するように、リーダ部３０の画像処理における画像編集内容やコピー枚数等の画像動作を指示する各種キー群、操作時の内容を表示する表示部等が設けられている。
【００１９】
［操作部１２３の構成］
図４は操作部１２３の構成を示す正面図である。操作部１２３には、各種キー、ドットマトリックスで構成される液晶表示部３５０などが配置されている。液晶表示部３５０には、タッチパネルが設けられており、表示されたソフトキーを押下することでキー入力が行われる。ハードキー郡３４０は各種ハードキーからなる。スタートキー３４１はコピーをスタートさせるキーである。復帰キー３４６は設定モードを標準状態に復帰させるキーである。
【００２０】
キー群３４５は、コピー枚数、ズーム倍率等を入力する、０〜９までのテンキー、およびその入力をクリアするクリアキーからなる。このキー郡３４５で入力されたコピー部数は、液晶表示部３５３に表示される。ガイドキー３４７は、各機能のガイド画面を表示させるキーである。ユーザモードキー３４８は、機器の各種設定を行うキーである。
【００２１】
液晶表示部３５０は、装置の状態、コピー枚数、倍率、選択用紙および各種操作画面を表示する。液晶表示部３５０には、タッチキー（ソフトキー）も表示される。キー３５２は、給紙段およびオート用紙選択を選択するキーである。このキーを押下すると  図５の選択画面が表示される。図５は用紙選択画面を示す図である。この画面上で給紙段を選択し、閉じる（ＯＫ）キー３７０を押下すると、この画面が閉じられ、表示部３５１に選択された用紙が表示される。
【００２２】
キー３５８およびキー３６２は、濃度調整を行うためのキーである。これらのキーにより調整される濃度は表示部３６３に表示される。キー３５９は自動濃度調整機能をＯＮ／ＯＦＦに設定するキーであり、自動濃度調整機能がＯＮに設定された場合、点灯する。キー３５４、キー３５５はそれぞれ等倍、縮小／拡大を設定するキーである。キー３５５を押下すると、図６の画面が表示され、拡大縮小を詳細に設定できる。図６は拡大縮小設定画面を示す図である。倍率は液晶表示部３６４に表示される。
【００２３】
キー３６０は応用モードキーである。キー３６０を押下すると、各種モード設定画面に移行する。キー３５６を押下すると、図７の各種後処理を設定する画面が表示される。図７は各種後処理の設定画面を示す図である。キー４５０はソートモードを設定するキーである。キー４５１は束シフトを設定するキーである。キー４５２は、グループモードを設定するキーである。キー４５３はステイプルを設定するキーである。キー４５４はＺ折りを指定するキーである。キー４５５は設定を確定するＯＫキーである。キー４５６はパンチ穴あけを設定するキーである。キー４５７は設定を取り消す取り消しキーである。
【００２４】
キー４５３を押下すると、図８のステイプル設定画面が表示される。図８はステイプル設定画面を示す図である。キー４６０はコーナーステイプル（１箇所綴じ）を設定するキーである。キー４６０が押され、１箇所綴じが選択されると、さらにキー４６３による左上、キー４６４による右上、キー４６５による左下、およびキー４６６による右下のいずれか１つのステイプル位置が選択可能となる。
【００２５】
キー４６１はダブルステイプル（２箇所綴じ）を指定するキーである。キー４６２は中綴じを指定するキーである。キー４６７は設定を取り消す取消キーである。キー４６８は図７に戻るキーである。キー４６８が押された場合、この画面設定は有効とならない。キー４６９は設定を確定するキーである。このキー４６９が押下されると、図４の画面に戻り、コピースタートが可能となる。
【００２６】
つぎに、両面印刷の設定を示す。操作部１２３におけるキー３５７は両面キーである。この両面キー３５７が押下されると、図９の両面印字設定画面が表示される。図９は両面印字設定画面を示す図である。キー４１０は原稿片面を両面印字する設定キーである。キー４１１は両面原稿から両面印字するキーである。キー４１２は図９で操作された内容を取り消すキーである。キー４１３は両面原稿を片面印字するキーである。キー４１４はページ連写両面設定キーである。キー４１５は、図９で操作された内容を設定するキーである。キー４１６は詳細設定を行うキーである。キー４１６を押下すると、図１０の詳細設定画面が表示される。図１０は詳細設定画面を示す図である。キー４２０は両面印刷物を左右開きに印字するキーである。キー４２１は上下開きに印字するキーである。図９、図１０の画面で設定することにより、両面印字が設定可能となる。
【００２７】
つぎに、くるみ製本、天糊製本の設定を示す。操作部１２３の応用モードキー３６０を押下すると、図１１の画面が表示される。図１１は応用モード設定画面を示す図である。キー４８１は製本モードを設定するキーである。キー４８１が押下されると、図１２の画面が表示される。図１２は原稿サイズを指定する操作画面を示す図である。キー群４８２は原稿サイズとして指定可能である。ここで、Ａ４サイズを指定し、”次へ”キー４８６を押下すると、図１３の画面が表示される。図１３は製本モードを指定する画面を示す図である。図１３の画面には、くるみ製本や天糊製本を指定するキー４８３、および中綴じ製本を指定するキー４８４が表示されている。ここで、くるみ製本や天糊製本を指定する場合、キー４８３を押下し、ＯＫキー４８７を押下すると、図１４の転写記録紙の選択画面が表示される。
【００２８】
図１４は製本処理における転写記録紙の選択画面を示す図である。中紙（本文）として選択可能な記録紙サイズは、Ａ４ノビ、Ａ４、Ｂ５、Ａ５Ｒ、ＬＴＲ、ＳＴＭＴ−Ｒ  である。これらサイズの記録紙が入っているカセット段が選択可能であるので、そのカセット段を指定する。キー４８５は表紙を設定するキーである。このキー４８５を押下すると、くるみ製本となる。一方  キー４８５が押下されない場合、天糊製本となる。図１５はくるみ製本および天糊製本の製本手順を示す図である。同図（Ａ）はくるみ製本を示し、同図（Ｂ）は天糊製本を示す。キー４８５が押下されると、図１６の画面が表示される。図１６は表紙設定画面を示す図である。この画面で、表紙の記録紙サイズおよびカセット段（給紙位置）を選択する。図１６では、表紙として選択可能な記録紙サイズは、Ａ３ノビ、Ａ３、Ｂ４、Ａ４Ｒ、１１ｘ１７、ＬＧＬ、ＬＴＲＲである。これらを選択して、くるみ製本の設定が終了する。
【００２９】
一方、図１３の画面でキー４８４を選択した場合、中綴じ製本となり、図１７の画面が表示される。図１７は中綴じ処理における転写記録紙の選択画面を示す図である。この画面では、記録紙として選択可能な紙サイズは、Ａ３、Ｂ４、Ａ４Ｒ、１１ｘ１７、ＬＧＬ、ＬＴＲＲである。図１７の画面で”次へ”キー４８８が押されると、図１８の画面が表示される。図１８は中綴じするかしないかの選択画面を示す図である。この画面で中綴じするか否かの最終的な選択が可能である。
【００３０】
［画像の書き込み／読み出し］
図１９は画像の書き込みおよび読み出し手順を示す図である。図２０は画像メモリのマップを示す図である。図１９（ａ）には、画像メモリの１つの記憶容量（記憶領域）が示されている。本実施形態では、１つの記憶領域は、縦７０１５ｘ横９９２０ビットで構成され、６００ｄｐｉの基準でＡ３サイズの画像を記憶可能である。図２０に示すように、画像メモリは、１つの画像レイアウト領域および１つのキャラクタ用データを画像記憶領域として、１００枚分の画像を記憶可能に構成されている。
【００３１】
図１９（ｂ）には、原稿画像を画像メモリに記憶する一例が示されている。符号２ａに示すように置かれた原稿は、矢印の方向に順次読み込まれる。符号２ｂに示されるように、（０，０）アドレスをスタート位置にＸ方向のカウントアップ、Ｙ方向のカウントアップに指定し、まず１ライン目が読み込まれると、Ｙ方向のカウンタが（０，７０１５）方向に順に書き込まれる。２ライン目が読み込まれると、Ｘ方向のカウンタがアップされ、（１，０）アドレスから（１，７０１５）アドレス方向に順に書き込まれる。３ライン目が読み込まれると、Ｘ方向のカウンタがアップされ、（２，０）アドレスから（２，７０１５）アドレスまで書き込まれる。このように、読み込みおよび書き込みを繰り返し、（４９６０，７０１５）アドレスまで書き込まれる。
【００３２】
図１９（ｂ）に示す手順でメモリに書き込まれた画像データを読み出す処理を示す。図１９（ｃ）では、符号３ａに示すように、１ライン目、（４９６０，０）アドレスをスタート位置に、Ｘカウンタを順にカウントダウン、Ｙ方向のカウンタをアップに指定し、（０，０）方向にＸカウンタを順にダウンしながら読み出す。つづいて、Ｙカウンタをアップさせ、２ライン目の読み出しが行われ、（４９６０，１）アドレスから（０，１）アドレスの方向に読み出される。このように、順次読み出すことにより、符号３ｂに示す画像が読み出される。
【００３３】
図１９（ｄ）では、符号４ｂに示すように、１ライン目、（０，０）アドレスをスタート位置に、Ｘ方向のカウンタをアップ、Ｙ方向のカウンタをダウンに指定し、（０，７０１５）アドレス方向にＹカウンタを順次アップしながら読み出す。つづいてＸカウンタをアップさせ、２ライン目の読み出しが行われ、（１，０）アドレスから（１，７０１５）方向に読み出し、このように順次読み出すことにより、符号４ｂに示す画像が読み出される。このように、符号２ａに示すＡ４幅の原稿を符号４ａに示す方向で読み出すことにより、画像を回転しないで読み出すことができる。
【００３４】
また、符号４ｃに示すように、１ライン目、（４９６０，７０１５）アドレスをスタート位置に、Ｙカウンタをカウントダウンさせ、（４９６０，０）アドレスまで順次読み出す。２ライン目、Ｘカウンタをカウントダウンさせ、（４９５９，７０１５）からＹカウンタをカウントダウンし、（４９５９，０）まで順読み出す。このように順次読み出すことにより、符号４ｄに示すように、１８０度回転した画像を読み出すことができる。
【００３５】
図１９（ｅ）では、符号５ａ、５ｂに示すように、個々に記憶された画像を読み出し、画像レイアウトメモリの所望の位置に画像を書き込むことにより、符号５ｃに示すように別々の原稿画像をメモリ上で合成することができる。
【００３６】
［プリンタ部４０の説明］
つぎに、プリンタ部４０の構成および動作を示す。プリンタ部４０に入力された画像信号は、露光制御部２０１で変調された光信号に変換され、感光体２１１を照射する。この照射光によって感光体２１１に形成された潜像は、現像器２１２によって現像される。この現像像の先端とタイミングを併せて、転写紙積載部２１４あるいは２１５から転写紙が搬送されると、転写部２１６では現像された像が転写紙に転写される。転写された像は定着部２１７で転写紙に定着された後、排紙部２１９から装置外部に排出される。排紙部２１９から排出された転写紙は、Ｚ折りユニット（部）２６０を経由し、Ｚ折り機能が動作している場合、Ｚ折り部２６０でＺ折りされた後、Ｚ折り機能が動作していない場合、そのまま製本ユニット２３０に受け渡される。
【００３７】
製本ユニット２３０は、処理内容に応じて転写紙の進行方向を変更して後処理を行う。パンチ機能が動作している場合、製本ユニット２３０は、パンチ穴あけを実行するために、方向変更部材２３２、２３５を制御し、転写紙をパンチユニット２９０に導く。同様に、ステイプル機能が動作している場合、ステイプルユニット２８０は、ステイプルを行うために、方向変更部材２３２、２３５を制御する。ステイプルユニット２８０は、ステイプルソート機能が動作している場合、ソートビンにおいて複数装備されているステイプルユニットの中から１つのステイプルユニットを選択し、ステイプルを行う。複数装備されているステイプルユニットの中から１つのステイプルユニットを選択することにより、ステイプル位置を変更可能である。尚、複数のステイプルユニットを装備する代わりに、１つのステイプルユニットを移動自在に構成してもよい。
【００３８】
つぎに、Ｚ折りを行うＺ折り部２６０を示す。Ｚ折り部２６０に入ると、方向変更部材２６８が動作し、予め定められたサイズに合致した記録紙をＺ折り部パス２６１に進行させる。記録紙の１／４の長さが折りローラ２６２を通過したタイミングで、折りローラ２６２、２６３が記録紙を中間折りパス２６５に進めるように回転する。この回転動作により、記録紙の１／４の長さが折れる。このまま、中間折りパス２６５に記録紙が１／４の長さ進んだタイミングで、折りローラ２６３、２６６が最終パス２６７に記録紙を進めるように回転する。これにより、記録紙の１／４が折られ、Ｚ折りになる。記録紙はそのまま搬送され、パンチユニット２９０に搬送される。このＺ折り処理は、ラージサイズの記録紙のみに適用される。スモールサイズの記録紙は、方向変更部部材２６８が動作せず、そのままパンチ部２９０に搬送される。
【００３９】
糊付け製本が指定された場合、方向変更部材２３２、２３５を制御することにより、糊付け製本を行う。始めに、表紙を付けるくるみ製本の場合を示す。図２１〜図２７はくるみ製本動作を示す図である。図２１、図２２では、記録紙は紙の位置を明示するために太く表示されているが、その枚数は１枚である。一方、図２３、図２４では、太く表示されている記録紙は中紙であり、複数枚からなる紙束である。
【００４０】
図２１では、方向変更部材２３２は、転写紙を転写紙パス２３３に誘導するように方向を切り替える。ローラ２７０、２７１により転写紙を搬送する。図２２では、方向変更部材２３５は、転写紙をスタック部２３６に誘導するように方向を切り替える。図２３では、同様に、くるみ製本の中紙を全てスタック部２３６に収納する。図２４では、くるみ製本の表紙を搬送する。表紙パス２３４に表紙を誘導するように、方向変更部材２３２の方向を切り替える。表紙の半分の位置がローラ２４３、２３９の半分の位置に来るように、ローラ２４３、２３９を回転させる。このとき、糊付けユニット３００を手前から奥まで移動させることにより、転写紙に糊付けを行う。糊付けユニット３００は、糊部、ヒータ部およびセンサ部から構成されており、固形の糊をヒータ部で所定温度まで熱することにより糊付け可能にする。このとき、センサ部で温度を検知し、糊が予め定められた温度以上にならないように制御される。
【００４１】
図２５では、糊付けの終わった中紙を表紙に糊付けする。糊付けユニット３００は、ローラ２３７、２３８が回転することにより、所定の位置に退避し、ローラ２７２、２７３が下方向に中紙を移動するように回転する。中紙が表紙に付く位置まで来ると、ローラ２７３、２７３は回転を停止する。この状態で所定時間放置する。これにより、糊付けが行われる。このとき、表紙を折るために、折材２７７が動作し、表紙を織り込む。ここで、折材２７７が動作をするときに枚数が少ないと、表紙に”しわ”や、”破損”が生じてしまう。そこで、最小処理枚数の制限が発生する。
【００４２】
図２６では、糊付け位置にある部材２４２が移動し、糊付けされた製本の端揃えを行うために、端部を裁断する位置に誘導する。このとき、部材２７４、２７５が糊付け製本を倒すように移動する。図２７では、位置制御部材２５２が移動し、トリマターンテーブル２５５上の糊付け製本の位置を制御する。トリマターンテーブル２５５上に積載された製本は、トリマユニット２４７から出るカッタ２４８が昇降することにより端部を裁断する。トリマターンテーブル２５５は、９０度、１８０度回転することにより、用紙の三方を裁断する。裁断された製本は、位置制御部材２５２によってトレイ２５７方向に移動し、ローラ２４９、２５３、２５１、２５４が回転することによりトレイ２５７上に排出される。
【００４３】
一方、表紙を付けない天糊製本の場合、表紙を付けないので、図２２および図２３の操作を省略する。また、図２５の動作を省略するので、最小処理枚数の制限が発生しない。
【００４４】
つぎに、順次読み込んだ画像を１枚の出力用紙の両面に出力する方法を示す。定着部２１７で定着された出力用紙を、一度、排紙部２１９まで搬送した後、用紙の搬送向きを反転して搬送方向切り替え部材２２０を介して再給紙用被転写紙積載部２２１に搬送する。次の原稿が準備されると、上記プロセスと同様に、原稿画像が読み取られるが、転写紙は再給紙用被転写紙積載部２２１から給紙されるので、結局、同一の出力紙の表面および裏面に２枚の原稿画像を出力することができる。
【００４５】
［ＲＦＩＤの位置検知］
つぎに、ＲＦＩＤの位置検知方法を示す。図２８は転写紙積載部の構成を示す図である。転写紙積載部２１４、２１５、２２５、２２６には、それぞれＲＦＩＤ検知板７１１が設けられており、各ＲＦＩＤ検知板７１１には、１２個のＲＦＩＤリーダ７５１〜７６２が装着されている。図２９はＲＦＩＤ検知板７１１上における１２個のＲＦＩＤリーダ７５１〜７６２の配置を示す図である。ＲＦＩＤリーダ７５１は、半径５０ｍｍの検知範囲７８１を有する。その他のＲＦＩＤリーダ７５２〜７６２も、同様の検知範囲を有する。記録紙の幅方向のサイズが最大Ａ４サイズの２９７ｍｍであるので、１２個のＲＦＩＤリーダ７５１〜７６２を用いることで、各々のＲＦＩＤリーダの検知範囲はほとんど重なり合うことなく、Ａ３サイズの全域を検知することができる。
【００４６】
ステイプル箇所７８２は、Ａ４サイズにおいてステイプルされる位置（奥位置）である。ステイプル箇所７８７は、Ａ４サイズにおいてステイプルされる位置（手前位置）である。ステイプル箇所７８３、７８６は、Ａ４Ｒサイズにおいてステイプルされる位置である。ステイプル箇所７８４、７８５は、Ａ５Ｒサイズにおいてステイプルされる位置である。また、穴箇所７９３、７９４は、パンチ穴あけであけられる穴位置である。ステイプル箇所７９５、７９７は、Ａ３サイズの中綴じにおいてステイプルされる位置である。ステイプル箇所７９６、７９８は、Ａ４Ｒサイズの中綴じにおいてステイプルされる位置である。
【００４７】
［記録紙の後処理］
図３０、図３１および図３２はＲＦＩＤタグ付きの記録紙を後処理する際の後処理手順を示すフローチャートである。この処理プログラムは、ＣＰＵ回路１２２内のＲＯＭ１２４に格納されており、ＣＰＵによって実行される。ここでは、転写紙積載部２１４にＡ４サイズのＲＦＩＤ付きの用紙が積載され、操作部１２３によって給紙口が転写紙積載部２１４に設定され、ステイプルがステイプル左上に設定された場合を示す。ステイプル左上では、画像を１８０度回転させ、奥位置にステイプルを行う。
【００４８】
コピージョブが開始すると、まず、ＲＦＩＤ付きの記録紙であるか否かを判別する（ステップＳ１）。この判別処理では、ＲＦＩＤ位置検知板７１１に搭載されたＲＦＩＤリーダ７５１〜７６２によって、順次ＲＦＩＤの読み取り動作を行う。例えば、ＲＦＩＤリーダ７５４によってＲＦＩＤが検知されたとする。
【００４９】
この後、後処理があるか否かを判別する（ステップＳ２）。後処理がない場合、そのまま印刷を行い（ステップＳ８）、本処理を終了する。一方、後処理がある場合、後処理はステイプル処理であるか否かを判別する（ステップＳ３）。ステップＳ３でステイプル処理でないと判別された場合、後述するステップＳ１３の処理に進む。ここでは、前述したように、ステイプル左上が指定されているので、後処理があり、ステイプル処理が行われる。ステイプル処理が行われる場合、続いて、ＲＦＩＤの位置とステイプルされる位置とが同じであるか否かを判別する（ステップＳ４）。
【００５０】
ＲＦＩＤの位置とステイプルされる位置とが同じでない場合、印刷後にステイプル処理を行い（ステップＳ１２）、本処理を終了する。ここで、Ａ４サイズのステイプル左上の場合、奥位置にあるステイプル箇所７８２がステイプルされる位置である。この場合、ＲＦＩＤリーダ７５１がＲＦＩＤを検知すると、同じ位置であると判断されるが、既にステップＳ１でＲＦＩＤリーダ７５４がＲＦＩＤを検知しているので、ＲＦＩＤの位置とステイプルされる位置とが同じでないと判断され、ステップＳ１２で印刷後にステイプル処理が行われる。
【００５１】
一方、ＲＦＩＤの位置とステイプルされる位置とが同じであると判断された場合、例えば、ステップＳ１でＲＦＩＤリーダ７５１がＲＦＩＤを検知した場合、同じ位置であると判断される。この場合、エラー画面を表示し、動作を中断する（ステップＳ５）。図３３はステイプル処理におけるエラー画面を示す図である。このエラー画面には、「ＲＦＩＤとステイプル位置が同じです。変更しますか？」のメッセージが表示される。また、「変更」キー８０２、「中止」キー８０３、「印刷のみ」キー８０４、「他のファンクションへ」キー８０１が表示される。
【００５２】
変更キー８０２が押されたか否か、つまり位置を変えて続行するか否かを判別し（ステップＳ６）、変更キー８０２が押された場合、印刷後に、位置を変えてステイプル処理を行い（ステップＳ７）、本処理を終了する。一方、変更キー８０２が押されず、続行しない場合、印刷のみを行うか否かを判別する（ステップＳ９）。印刷のみキー８０４が押された場合、印刷のみを行い（ステップＳ１１）、本処理を終了する。一方、印刷のみを行わず、中止する場合、つまり中止キー８０３が押された場合、中止処理を行い（ステップＳ１０）、本処理を終了する。尚、ステップＳ７、Ｓ１２でステイプルを行う際、用紙の枚数がステイプル可能な枚数であることが前提である。したがって、ステイプル可能な枚数を越える場合、ステップＳ７、Ｓ１２ではステイプルを行うことなく、印刷だけを行って本処理を終了する。
【００５３】
つぎに、転写紙積載部２１４にＡ４サイズのＲＦＩＤ付き用紙が積載され、操作部１２３によって転写紙積載部２１４が給紙口に設定され、パンチが設定された場合を想定する。パンチを行う場合、画像を１８０度回転させてパンチが行われる。
【００５４】
ステップＳ３でステイプル処理でないと判別された場合、パンチ処理であるか否かを判別する（ステップＳ１３）。パンチ処理が指定されていない場合、ステップＳ１９の処理に進む。一方、パンチ処理が指定されている場合、ＲＦＩＤの位置とパンチされる位置とが同じであるか否かを判別する（ステップＳ１４）。Ａ４サイズのパンチの場合、パンチ箇所７９３、７９４がパンチ箇所である。この場合、ＲＦＩＤリーダ７５２がＲＦＩＤを検知すると、同じ位置であると判断するが、前述したように、既にステップＳ１でＲＦＩＤリーダ７５４によってＲＦＩＤが検知されているので、ＲＦＩＤの位置とパンチされる位置とが同じでないと判断し、パンチ処理を行い（ステップＳ１８）、本処理を終了する。
【００５５】
一方、ステップＳ１４でＲＦＩＤリーダ７５２がＲＦＩＤを検知した場合、同じ位置と判断する。この場合、エラー画面を表示し、動作を中断する（ステップＳ１５）。図３４はパンチ処理におけるエラー画面を示す図である。このエラー画面には、「ＲＦＩＤとパンチ位置が同じです。中止しますか？」のメッセージが表示される。また、「中止」キー８１２、「印刷のみ」キー８１３、「他のファンクションへ」キー８１１が表示される。そして、中止キー８１２が押されたか否か、つまり動作を中止するか否かを判別し（ステップＳ１６）、中止キー８１２が押された場合、そのまま本処理を終了する。一方、中止キー８１２が押されていない場合、印刷のみを行い（ステップＳ１７）、本処理を終了する。
【００５６】
つぎに、転写紙積載部２１４にＡ３サイズのＲＦＩＤ付き用紙が積載され、操作部１２３によって転写紙積載部２１４が給紙口に設定され、中綴じが設定された場合を想定する。ステップＳ１３でパンチ処理が指定されていない場合、中綴じ処理が指定されているか否かを判別する（ステップＳ１９）。中綴じ処理が指定されていない場合、ステップＳ２５の処理に進む。一方、中綴じ処理が指定されている場合、ＲＦＩＤの位置と中綴じされる位置とが同じであるか否かを判別する（ステップＳ２０）。
【００５７】
Ａ３サイズの中綴じの位置は、中綴じ箇所７９５、７９７である。この場合、ＲＦＩＤリーダ７５７、７５９がＲＦＩＤを検知した場合、同じ位置と判断されるが、既にステップＳ１でＲＦＩＤリーダ７５４によってＲＦＩＤが検知されているので、同じ位置でないと判断する。そして、中綴じ処理を行い（ステップＳ２４）、本処理を終了する。
【００５８】
一方、ステップＳ１でＲＦＩＤリーダ７５７がＲＦＩＤを検知した場合、ステップＳ２０で同じ位置であると判断される。この場合、エラー画面を表示し、動作を中断する（ステップＳ２１）。図３５は中綴じ処理におけるエラー画面を示す図である。このエラー画面には、「ＲＦＩＤと中綴じが同じ位置です。中止しますか？」のメッセージが表示される。また、「中止」キー８２２、「印刷のみ」キー８２３、「他のファンクションへ」キー８２１が表示される。そして、中止キー８２２が押されたか否か、つまり動作を中止するか否かを判別し（ステップＳ２２）、中止キー８２２が押された場合、そのまま本処理を終了する。一方、中止キー８２２が押されていない場合、印刷のみを行い（ステップＳ２３）、本処理を終了する。
【００５９】
つぎに、転写紙積載部２１４にＡ３サイズのＲＦＩＤ付き用紙が積載され、操作部１２３によって転写紙積載部２１４が給紙口に設定され、Ｚ折が設定された場合を想定する。また、ステップＳ１では、ＲＦリーダ７６０がＲＦＩＤを検知しているものとする。
【００６０】
ステップＳ１９で中綴じ処理でないと判別された場合、Ｚ折り処理であるか否かを判別する（ステップＳ２５）。Ｚ折り処理が指定されている場合、ＲＦＩＤの位置とＺ折りされる位置とが同じであるか否かを判別する（ステップＳ２６）。ここで、Ｚ折りされる位置は、紙の半分の位置と１／４の位置であるので、ＲＦリーダ７５１〜７５９のいずれかがＲＦＩＤを検知した場合、同じ位置であると判断されるが、既にステップＳ１でＲＦＩＤリーダ７６０によってＲＦＩＤが検知されているので、同じ位置でないと判断され、Ｚ折りを行い（ステップＳ３０）、本処理を終了する。
【００６１】
一方、例えば、ステップＳ１でＲＦＩＤリーダ７５７によってＲＦＩＤが検知された場合、ステップＳ２６では、ＲＦＩＤの位置とＺ折りされる位置とが同じであると判断される。この場合、エラー画面を表示し、動作を中断する（ステップＳ２７）。図３６はＺ折り処理におけるエラー画面を示す図である。このエラー画面には、「ＲＦＩＤとＺ折りの位置が同じです。中止しますか？」のメッセージが表示される。また、「中止」キー８３２、「印刷のみ」キー８３３、「他のファンクションへ」キー８３１が表示される。そして、中止キー８３２が押されたか否か、つまり動作を中止するか否かを判別し（ステップＳ２８）、中止キー８３２が押された場合、そのまま本処理を終了する。一方、中止キー８３２が押されていない場合、印刷のみを行い（ステップＳ２９）、本処理を終了する。
【００６２】
つぎに、糊付け製本の場合を示す。ステップＳ２５でＺ折り処理でないと判別された場合、後処理が糊付け製本であるか否かを判別する（ステップＳ３１）。糊付け製本の場合、ＲＦＩＤが破損しないので、糊付け処理を行い（ステップＳ３２）、本処理を終了する。
【００６３】
つぎに、転写紙積載部２１４にＡ４サイズのＲＦＩＤ付き用紙が積載され、操作部１２３によって転写紙積載部２１４が給紙口に設定され、裁断が設定された場合を想定する。また、ＲＦＩＤリーダ７５５によってＲＦＩＤが検出されたものとする。ステップＳ３１で糊付け製本でない場合、裁断処理が指定されているか否かを判別する（ステップＳ３３）。裁断処理が指定されていない場合、束シフトソート処理を行い（ステップＳ４０）、本処理を終了する。一方、裁断処理が指定されている場合、ＲＦＩＤの位置と裁断される位置が同じであるか否かを判別する（ステップＳ３４）。裁断される位置は、紙の周囲の位置であるので、ＲＦリーダ７５１、７５４、７５７、７６０、７６１、７６２、７５９、７５６、７５３、７５２によってＲＦＩＤが検知された場合、同じ位置であると判断されるが、ここでは、既にＲＦＩＤリーダ７５５によってＲＦＩＤが検知されているので、裁断を行い（ステップＳ３９）、本処理を終了する。
【００６４】
ステップＳ１で、例えばＲＦＩＤリーダ７５１によってＲＦＩＤが検知された場合、ステップＳ３４で同じ位置であると判断される。この場合、エラー画面を表示し、動作を中断する（ステップＳ３５）。図３７は裁断処理におけるエラー画面を示す図である。このエラー画面には、「ＲＦＩＤと裁断位置が同じです。中止しますか？」のメッセージが表示される。また、「中止」キー８４２、「印刷のみ」キー８４３、「他のファンクションへ」キー８４１が表示される。そして、中止キー８４２が押されたか否か、つまり動作を中止するか否かを判別し（ステップＳ３６）、中止キー８４２が押された場合、そのまま本処理を終了する。一方、中止キー８４２が押されず、印刷のみキー８４３が押された場合、印刷のみを行い（ステップＳ３８）、本処理を終了する。
【００６５】
このように、本実施形態の画像形成装置によれば、ステイプル、パンチ、中綴じ、Ｚ折り、裁断等の後処理を行うように設定されている場合、ＲＦＩＤタグを破壊することなく、その機能を正常に維持することができる。
【００６６】
なお、上記において、「位置が同じ」とは後処理によってＲＦＩＤタグに影響を与える位置に処理が施されることを意味しており、全く同一の位置を意味するものではない。
【００６７】
尚、本発明は、上記実施形態の構成に限られるものではなく、特許請求の範囲で示した機能、または本実施形態の構成が持つ機能が達成できる構成であればどのようなものであっても適用可能である。
【００６８】
例えば、上記実施形態では、ＲＦＩＤ検知板７１１を用いてＲＦＩＤを検知していたが、ＲＦＩＤの検知の仕方はこれに限定されない。例えば、本実施形態と同様の３個のＲＦＩＤリーダとセンサとを組み合わせても、ＲＦＩＤを検知可能である。この場合、ＲＦＩＤリーダは、記録紙が搬送される方向（副走査方向）と垂直な方向（主走査方向）に３個配置される。記録紙が搬送される途中にセンサを置き、センサがＯＮしたタイミングから、ＲＦＩＤリーダがＲＦＩＤを検知するまでの時間を計測する。これにより、用紙の先端から副走査方向の距離を算出することが可能である。また、ＲＦＩＤリーダのいずれが検知したかにより、ＲＦＩＤの主走査方向の位置を検出することも可能となる。
【００６９】
また、上記実施形態では、パンチ位置、中綴じ、Ｚ折りの際、ＲＦＩＤの位置と後処理位置とが同じである場合、それらの後処理を中止していたが、ステイプルと同様、位置を変えて実行するようにしてもよいことは勿論である。ただし、パンチ位置、中綴じ、Ｚ折りを行う際、そのような位置を変更可能な構成とする必要がある。
【００７０】
また、本発明は、複数の機器から構成されるシステムに適用しても、１つの機器からなる装置に適用してもよい。また、本発明の目的は、上記実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。この場合、記憶媒体から読み出されたプログラムコード自体が前述した実施形態の機能を実現することになり、そのプログラムコードを記憶した記憶媒体は本発明を構成することになる。
【００７１】
プログラムコードを供給するための記憶媒体としては、例えば、ＲＯＭ、フロッピー（登録商標）ディスク、ＰＣＭＣＩＡカードやコンパクトフラッシュ（登録商標）等のメモリカード、ハードディスク、マイクロＤＡＴ、光磁気ディスク、ＣＤ−ＲやＣＤ−ＲＷ等の光ディスク、ＤＶＤ等の相変化型光ディスク等で構成されてもよい。また、プログラムコードをネットワークを介してダウンロードしてもよい。
【００７２】
また、コンピュータが読み出したプログラムコードを実行することにより、上記実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることはいうまでもない。
【００７３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【００７４】
【図１】実施の形態における複写機の内部構成を示す縦断面図である。
【図２】リーダ部３０における信号処理回路の構成を示すブロック図である。
【図３】ＣＰＵ１２２の周辺回路の構成を示すブロック図である。
【図４】操作部１２３の構成を示す正面図である。
【図５】用紙選択画面を示す図である。
【図６】拡大縮小設定画面を示す図である。
【図７】各種後処理の設定画面を示す図である。
【図８】ステイプル設定画面を示す図である。
【図９】両面印字設定画面を示す図である。
【図１０】詳細設定画面を示す図である。
【図１１】応用モード設定画面を示す図である。
【図１２】原稿サイズを指定する操作画面を示す図である。
【図１３】製本モードを指定する画面を示す図である。
【図１４】製本処理における転写記録紙の選択画面を示す図である。
【図１５】くるみ製本および天糊製本の製本手順を示す図である。
【図１６】表紙設定画面を示す図である。
【図１７】中綴じ処理における転写記録紙の選択画面を示す図である。
【図１８】中綴じするかしないかの選択画面を示す図である。
【図１９】画像の書き込みおよび読み出し手順を示す図である。
【図２０】画像メモリのマップを示す図である。
【図２１】くるみ製本動作を示す図である。
【図２２】くるみ製本動作を示す図である。
【図２３】くるみ製本動作を示す図である。
【図２４】くるみ製本動作を示す図である。
【図２５】くるみ製本動作を示す図である。
【図２６】くるみ製本動作を示す図である。
【図２７】くるみ製本動作を示す図である。
【図２８】転写紙積載部の構成を示す図である。
【図２９】ＲＦＩＤ検知板７１１上における１２個のＲＦＩＤリーダ７５１〜７６２の配置を示す図である。
【図３０】ＲＦＩＤタグ付きの記録紙を後処理する際の後処理手順を示すフローチャートである。
【図３１】図３０につづくＲＦＩＤタグ付きの記録紙を後処理する際の後処理手順を示すフローチャートである。
【図３２】図３０および図３１につづくＲＦＩＤタグ付きの記録紙を後処理する際の後処理手順を示すフローチャートである。
【図３３】ステイプル処理におけるエラー画面を示す図である。
【図３４】パンチ処理におけるエラー画面を示す図である。
【図３５】中綴じ処理におけるエラー画面を示す図である。
【図３６】Ｚ折り処理におけるエラー画面を示す図である。
【図３７】裁断処理におけるエラー画面を示す図である。
【符号の説明】
【００７５】
１０  複写機本体
２０  後処理装置
３０  リーダ部
４０  プリンタ部
１２２  ＣＰＵ
１２４  ＲＯＭ
７１１  ＲＦＩＤ検知板
７５１〜７６２  ＲＦＩＤリーダ
７８２〜７８７  ステイプル箇所
７９３、７９４  パンチ箇所
７９５〜７９８  中綴じ箇所
【図１】
2006131322.tif 000003
【図２】
2006131322.tif 000004
【図３】
2006131322.tif 000005
【図４】
2006131322.tif 000006
【図５】
2006131322.tif 000007
【図６】
2006131322.tif 000008
【図７】
2006131322.tif 000009
【図８】
2006131322.tif 000010
【図９】
2006131322.tif 000011
【図１０】
2006131322.tif 000012
【図１１】
2006131322.tif 000013
【図１２】
2006131322.tif 000014
【図１３】
2006131322.tif 000015
【図１４】
2006131322.tif 000016
【図１５】
2006131322.tif 000017
【図１６】
2006131322.tif 000018
【図１７】
2006131322.tif 000019
【図１８】
2006131322.tif 000020
【図１９】
2006131322.tif 000021
【図２０】
2006131322.tif 000022
【図２１】
2006131322.tif 000023
【図２２】
2006131322.tif 000024
【図２３】
2006131322.tif 000025
【図２４】
2006131322.tif 000026
【図２５】
2006131322.tif 000027
【図２６】
2006131322.tif 000028
【図２７】
2006131322.tif 000029
【図２８】
2006131322.tif 000030
【図２９】
2006131322.tif 000031
【図３０】
2006131322.tif 000032
【図３１】
2006131322.tif 000033
【図３２】
2006131322.tif 000034
【図３３】
2006131322.tif 000035
【図３４】
2006131322.tif 000036
【図３５】
2006131322.tif 000037
【図３６】
2006131322.tif 000038
【図３７】
2006131322.tif 000039